(57)【特許請求の範囲】
【請求項１】
５本の指が分離した形状を有する手袋からなるタワシにおいて、前記手袋を手に余らせて装着させるための余剰部を、手袋の５本の各指部分の指先側と各指部分の指幅側とに設け、かつ、前記手袋が、掌側を覆う掌側部材と甲側を覆う甲側部材とを有し、これら掌側部材と甲側部材とがジグザグ縫い又はロックかがりの縫い方による縫い代を表出させるように縫合されており、当該縫い代は前記手袋の手首側の開口を除いた部分の外縁に設けられ、当該縫い代が前記余剰部の一部を構成していることを特徴とする手袋型タワシ。
【請求項２】
請求項１に記載の手袋型タワシにおいて、前記手袋の一部または全部を積層構造としたことを特徴とする手袋型タワシ。
【発明の詳細な説明】
【０００１】
【発明の属する技術分野】
本発明は、手袋型のタワシに関する技術分野に属する。
【０００２】
【従来の技術】
一般的に家事や炊事に用いられるタワシとしては、亀の子タワシや、略直方体状のスポンジタワシ、ナイロンタワシ等が多く利用されている。しかし、このようなタワシは、手で掴んで使用するため洗浄時に握力が必要であるうえ、食器の形状に応じて自由に洗うには不便であった。このような従来のタワシの不便さを解消するために、以前より手袋型に形成され、手にはめて使用するタワシがいくつか提案されている。
【０００３】
例えば、実開昭５６−７４０１４号公報には、網目状材料を手にはめて使用する食器洗用手袋が提案されている。この食器洗用手袋は、手にピッタリとはめて使用されるタイプで、手指の動きがそのまま食器を洗浄する動作となり、網目状材料の凹凸を利用して洗浄が行われる。
【０００４】
また、特開平２−２６５５２１号公報には、防水性の素材で形成した手袋の外周を、スポンジで覆ってネットで包んだスポンジ手袋が提案されている。このスポンジ手袋も、手指の動きがそのまま食器を洗浄する動作となり、スポンジとネットを利用して洗浄が行われる。
【０００５】
【発明が解決しようとする課題】
しかし、上述の食器洗用手袋タイプやスポンジ手袋タイプでは、いずれも手に沿うように形状が形成され、手の動きのみを利用して洗浄しようとするものである。そのため、例えばコップの底のような奥深いところや、コーナの細かいところを洗う場合に、指が届かなかったり、指が入りきらなかったりすると、完全に洗浄できないという課題を有していた。
【０００６】
また、これらのように手を完全に覆う形状のタイプでは、他の作業の合間に手袋をはめたり外したりするのが煩雑で、忙しい炊事の合間に素早く動作するにはきわめて不便であるという課題も有していた。
【０００７】
また、スポンジ手袋タイプのように、手と食器との間に厚みを有するスポンジが介在すると、手に伝わる感覚が鈍り、食器を掴み難いだけでなく、スポンジが存在する分だけ嵩高く小回りが利きにくいという課題を有していた。
【０００８】
本発明は、このような課題を考慮してなされたもので、細かな部分や奥深い部分でも洗う対象となるものの形に応じて自由に、また楽に洗浄でき、着脱も容易な手袋型タワシを提供することを課題とするものである。
【０００９】
【課題を解決するための手段】
前記課題を解決するために、本発明の手袋型タワシは次のような手段を採用する。
【００１０】
すなわち、請求項１では、５本の指が分離した形状を有する手袋からなるタワシにおいて、前記手袋を手に余らせて装着させるための余剰部を、手袋の５本の各指部分の指先側と指幅側に設け、かつ、前記手袋が、掌側を覆う掌側部材と甲側を覆う甲側部材とを有し、これら掌側部材と甲側部材とが縫い代を表出させるように縫合されており、当該縫い代が前記余剰部の一部を構成していることを特徴とする。
【００１１】
この手段では、５本の指を自由に動かし、各指を自由に洗浄に使用できるうえ、対象物を掴んだり撫でたりする手の動作によって、そのまま洗浄が行われるが、各指部分の指先側と指幅側に設けられた余剰部によって手の動き以上に到達範囲が広がるため、細かいところや奥深いところまでも洗浄が行われると共に、対象となる食器等の大きさや形状に広く適応させた洗浄が可能となる。そして、掌側部材と甲側部材の縫合による縫い代が外側に表出し余剰部の一部が縁のように形成されることで、ヘラの機能を発揮し、洗浄効果を向上させる。さらに、余剰部は指部分に設けられているため、指を動かすだけで操作でき、力が不要である。
【００１２】
また、請求項２では、請求項１記載の手袋型タワシにおいて、前記縫い代は前記手袋の手首側の開口を除いた部分の外縁に設けられていることを特徴とする。
【００１３】
この手段では、手袋の手首側の開口を除いた手袋の外縁に表出した縫い代が設けられる。
【００１４】
また、請求項３では、請求項１または２記載の手袋型タワシにおいて、指幅側に設けられた前記余剰部の長さ寸法ΔWは、０．５ｃｍ〜２．５ｃｍであることを特徴とする。
【００１５】
この手段では、平均的な手の大きさを基準として、指幅側に設けられた前記余剰部の望ましい長さ寸法ΔWが選択される。
【００１６】
また、請求項４では、請求項１又は２記載の手袋型タワシにおいて、指幅側に設けられた前記余剰部の長さ寸法ΔWは、１．０ｃｍ〜２．０ｃｍであることを特徴とする。
【００１７】
この手段では、平均的な手の大きさを基準として、指幅側に設けられた前記余剰部のさらに望ましい長さ寸法ΔWが選択される。
また、請求項５では、請求項１〜４のいずれか１項に記載の手袋型タワシにおいて、前記手袋の一部または全部を積層構造としたことを特徴とする。
この手段では、手袋の一部又または全部を積層構造とすることにより、手の保護性が向上される。
また、請求項６では、請求項１〜５のいずれか１項に記載の手袋型タワシにおいて、前記手袋は、指先から手の甲の中途部までの長さ寸法を有し、手首側の開口径を調節するための調節部材が設けられることを特徴とする。
この手段では、手袋の長さ寸法を手首まで到達させないことで、手袋への手の出し入れが速やかに行われる。また、調節部材で、手首側の開口径が調節できるため、着脱し易くするだけでなく、着用者のサイズや好みに応じて自由に調整される。
【００１８】
【発明の実施の形態】
以下、本発明の基本的な実施の形態について、図面に基づいて説明する。図１は実施の形態（１）の外観図で、図２は実施の形態（１）の動作を示す説明図で、図３は図２のＡ部の断面の拡大図である。
【００１９】
実施の形態（１）の手袋型タワシ１は、手袋２からなるタワシにおいて、前記手袋２を手に余らせて装着させるための余剰部３を、手袋２の指部分に設けたことを特徴としている。
【００２０】
手袋型タワシ１の手袋２は、５本の指が分離した形状を有しており、手袋２を指の股に合わせて装着しても、指部分がブカブカになるように余剰部３が設けられている。また、手袋２を手５に着用した際に、手首５１側の開口部２３の内径を調節するための調節部材４が、開口部２３側の端部に設けられている。
【００２１】
手袋２は、掌側を覆う掌側部材２１と甲側を覆う甲側部材２２とを有しており、これら掌側部材２１と甲側部材２２とは、手首５１側の開口部２３を除いて縫合され、このとき縫い代２４が手袋２の表側に出るように形成されている。縫い代２４の縫い方としては、ジグザグ縫い、ロックかがり等が好適であるが、これに限定されるものではない。但し、縫い代２４にヘラのような機能を発揮させるためには、適度な堅さが得られる縫い方であることが好ましい。また、開口部２３側の一部には、Ｕ字形に形成された係止用部材２６が縫着されており、保管時にフック等にそのまま簡単に引っ掛けることができる。
【００２２】
余剰部３は、手袋２の５本の指にそれぞれ設けられている。この余剰部３は、指の先端側に設けた指先余剰部３１、指の幅側に設けた指幅余剰部３２とからなり、これらは連続して形成されている。指先余剰部３１の長さ寸法ΔＬと、指幅余剰部３２の長さ寸法ΔＷは、着用者の手５の大きさにより変化するが、平均的な手の大きさを基準とすると、指先余剰部３１は、０．５≦ΔＬ≦３．５（ｃｍ）の範囲から、さらに望ましくは１．５≦ΔＬ≦２．５（ｃｍ）の範囲から選ばれることが望ましい。また指幅余剰部３２は、０．５≦ΔＷ≦２．５（ｃｍ）の範囲から、さらに望ましくは、１．０≦ΔＷ≦２．０（ｃｍ）の範囲から選ばれることが望ましい。
【００２３】
調節部材４は、開口部２３の端部に複数設けられたループ部４１に、ゴム材４２が挿通され開口部２３の外周に渡されている。このゴム材４２は、開口部２３を１周以上する程度の長さを有しており、一方端４２１は縫着等により固定されている。他方端４２２は自由端であり、その内側の面には面状ファスナー４２３が取り付けられている。この面状ファスナー４２３にはオス型が使用されるとともに、手袋２が網目状素材からなっているため、手袋２の任意の位置に貼着することができる。そのため、調節は、適度に引っ張って、そのまま甲側部材２２に係止することで完了する。
【００２４】
なお、調節部材４は、開口部２３の径を調整するために設けられているが、同じ機能を有するものであれば、この構成に限定されるものではない。例えば、メス型の面状ファスナー部分を手袋２に付設しておいて係止させるように構成したり、また、ループ部４１の代わりに、開口部２３を筒型形状に形成して、その中にゴム材４２を挿通するよう構成したり、あるいは、ゴム材４２に自由端を設けず輪状に形成し、ゴム材４２の弾性で調整するように構成しても良い。なお、調整部材４は、必要がなければ省略しても良い。
【００２５】
手袋２の全長は、開口部２３側が手の甲５２から手首５１に至る中途部までの長さ寸法を有し、手首５１までの長さから寸法Ｈだけ短くしている。これは、手首５１まで完全に覆っていると、着脱の際に煩わしく、速やかにはめたり外したりができないためである。また、開口部２３が手の甲にあるため、調節部材４で絞っていない状態では、開口部２３の内径も広く手にはめ易い。そして、着用中には、調節部材４で開口部２３の径を手に合わせて小さくできるため、不用意に外れることもない。上述の寸法Ｈは、着用者の手５の大きさにより変化するが、０．５≦Ｈ≦５．０（ｃｍ）の範囲から、さらに望ましくは１．０≦Ｈ≦３．０（ｃｍ）の範囲から選ばれることが望ましい。
【００２６】
手袋２の素材としては、実施の形態（１）では網目状の素材を使用している。これにより、洗浄の対象となる食器等に凹凸面が接触するので、洗浄効果が向上し、力を入れなくても楽に汚れを落とすことが可能となる。網目状素材としては、単に空孔を多数有する素材でも、あるいは表面にパイル状の起毛が付加された素材でもよい。材質は、特に限定されないが、例えばナイロン等の合成素材を用いると、使用後に軽く振るだけで素早く乾き、清潔に保つことができる。
【００２７】
また、この手袋型タワシ１の網目状素材としては、肉薄なものが好適である。薄いことで、手にはめて物を掴むときにも違和感を覚えず、小回りが利きやすく、また楽に使用できる。そのため、片手だけでも両手にはめて使用しても、いずれでも良い。なお、図１では、手袋２を右手に合わせた形状に形成し、手の動きに応じて使いやすくしている。そのため、掌側部材２１と甲側部材２２の色を変えて、右用と左用を間違えず使用できるようにしても良い。また、中指を中心に左右対称形とし、左右兼用にしても良い。また、掌側部材２１と甲側部材２２の素材に違うものを組み合わせて形成し、用途に応じて面を使い分けて使用できるように構成しても良い。また、手袋２の一部または全部を積層構造とし、手の保護性を向上させても良い。
【００２８】
このように構成された手袋型タワシ１の動作について説明する。図２には、コップ６を洗浄する状態を例示している。このように、本発明では、手袋型タワシ１をはめた手５で、例えばコップの場合は握って擦るだけで洗浄ができ、またお皿などの広い面積のものは、手を広げて表面を撫でるだけで洗浄できるため、握力がなくても楽に汚れを落とすことができる。
【００２９】
また、指が届き難いコップ６の底にも、指先５３に設けた指先余剰部３１が到達できるため、奥深いところも洗浄できる。また、図３に示すように手袋２の外縁に設けられた縫い代２４が、狭いところにも入り易いうえ、ヘラのような効果を発揮するため、指先余剰部３１でコップ６のコーナ部分等の汚れもこそげ落としたりし易い。また、指幅余剰部３２は手袋２全体の接触面積を増加させるとともに、指を窄めると、小回りが利くうえ、羽根を束ねたブラシのような機能も発揮する。そして、その大きさも指の窄め方で自由に変えられるため、コップ６等の内周面を洗う際にも、楽に素早く洗うことができる。
【００３０】
また、手袋２は、手首５１まで完全に覆っていないため、速やかにはめることができる。また、外すときには、調節部材４を緩めて、手袋２の指先を引っ張るだけで簡単に脱げるため、手袋２が裏返ったりする不便もない。さらに、手袋２は網目状素材でできているため、使用後に振り払うだけで簡単に水切りができてすぐ乾燥し、きわめて衛生的である。
【００３１】
なお、この手袋型タワシ１の素材を用途に応じて替え、例えばフエルト地や編物、織物で形成しても良い。また、用途としては、食器洗い用としての炊事だけでなく、その他の掃除を含む家事全般に適用できる。例えば、お風呂の掃除、拭き掃除等にも好適である。
【００３２】
【発明の効果】
以上、詳述してきたように、本発明の手袋型タワシは、余剰部を手袋の指部分に設けたことにより、手を動かすだけで握力がなくても洗浄できることはもとより、余剰部が指の届かないところにも到達できるため、細かな部分や奥深い部分でも楽に洗浄できる。
【００３３】
また、縫い代を表出させて縫合して手袋を形成することにより、縫い代がヘラの効果を発揮し、洗浄力を向上させる。
【００３４】
さらに、手袋の長さを、手の甲の中途部までにすることで、着脱を速やかに行うことができ、煩わしさが解消されて装着性に優れている。
【図面の簡単な説明】
【図１】実施の形態（１）の外観図である。
【図２】実施の形態（１）の動作を示す説明図である。
【図３】図２のＡ部での断面を示す拡大図である。
【符号の説明】
１      手袋型タワシ
２      手袋
２１      掌側部材
２２      甲側部材
２３      開口部
２４      縫い代
２５      テープ状部材
２６      係止用部材
３      余剰部
３１      指先余剰部
３２      指幅余剰部
４      調節部材
４１      ループ部
４２      ゴム材
４２１      一方端
４２２      他方端
４２３      面状ファスナー
５      手
６      コップ
【図１】
0004819217.tif 000002
【図２】
0004819217.tif 000003
【図３】
0004819217.tif 000004